(57)【特許請求の範囲】
【請求項１】
創傷部を覆って閉鎖部を形成する被覆材と、
前記閉鎖部に接続された洗浄液供給管、圧力測定管および滲出液排出管と、
前記洗浄液供給管を通じて前記閉鎖部に供給される洗浄液を備え、
前記閉鎖部に前記洗浄液を注入しながら前記圧力測定管を介して測定された圧力に基づいて前記閉鎖部内を一定の陰圧に保ち、前記洗浄液と、前記創傷部から生じた老廃物および滲出液を前記滲出液排出管を通じて排出する陰圧創傷治療装置において、
前記洗浄液供給管の前記閉鎖部への洗浄液供給口の近傍から分岐した前記圧力測定管を備え、
前記圧力測定管の先端が前記洗浄液供給管内の清浄な洗浄液で満たされた空間に配置されていることを特徴とする陰圧創傷治療装置。
【請求項２】
創傷部を覆って閉鎖部を形成する被覆材と、
前記閉鎖部に接続された洗浄液供給管、圧力測定管および滲出液排出管と、
前記洗浄液供給管を通じて前記閉鎖部に供給される洗浄液を備え、
前記閉鎖部に前記洗浄液を注入しながら前記圧力測定管を介して測定された圧力に基づいて前記閉鎖部を一定の陰圧に保ち、前記洗浄液と、前記創傷部から生じた老廃物および滲出液を前記滲出液排出管を通じて排出する陰圧創傷治療装置において、
前記被覆材に設けられた供給孔と、前記供給孔に接続された供給管接続部品を備え、
前記供給管接続部品には前記洗浄液供給管および前記圧力測定管が接続されており、
前記圧力測定管の先端が前記供給管接続部品内の前記洗浄液供給管から供給された清浄な洗浄液で満たされた空間に配置されていることを特徴とする陰圧創傷治療装置。
【請求項３】
創傷部を覆って閉鎖部を形成する被覆材と、
前記閉鎖部に接続された洗浄液供給管、圧力測定管及び滲出液排出管と、
前記洗浄液供給管を通じて前記閉鎖部に供給される洗浄液を備え、
前記閉鎖部に前記洗浄液を注入しながら前記閉鎖部を陰圧に保ち、前記洗浄液と、前記創傷部から生じた老廃物及び滲出液を前記滲出液排出管を通じて排出する陰圧創傷治療装置において、
前記圧力測定管を前記洗浄液供給管の近傍に設け、
前記洗浄液供給管は、洗浄液供給用内腔と圧力測定用内腔を備えた複数内腔管であり、前記圧力測定用内腔に接続された前記圧力測定管を備えたことを特徴とする陰圧創傷治療装置。
【請求項４】
創傷部を覆って閉鎖部を形成する被覆材と、
前記閉鎖部に接続された洗浄液供給管、圧力測定管及び滲出液排出管と、
前記洗浄液供給管を通じて前記閉鎖部に供給される洗浄液を備え、
前記閉鎖部に前記洗浄液を注入しながら前記圧力測定管を介して測定された圧力に基づいて前記閉鎖部を一定の陰圧に保ち、前記洗浄液と、前記創傷部から生じた老廃物及び滲出液を前記滲出液排出管を通じて排出する陰圧創傷治療装置において、
前記被覆材に設けられた供給孔と、前記供給孔に接続された供給管接続部品を備え、
前記供給管接続部品には前記洗浄液供給管が接続されており、
前記洗浄液供給管から前記圧力測定管が分岐していることを特徴とする陰圧創傷治療装置。
【請求項５】
前記被覆材に設けられた供給孔と、
前記洗浄液供給管および前記供給孔に接続された供給管接続部品を備えたことを特徴とする、請求項３に記載の陰圧創傷治療装置。
【請求項６】
前記供給管接続部品は、下面に突出する延長管を備え、
前記延長管は、所望の長さに調整できることを特徴とする、請求項２、４、５のいずれかに記載の陰圧創傷治療装置。
【発明の詳細な説明】
【技術分野】
【０００１】
本発明は陰圧創傷治療装置に関する。
【背景技術】
【０００２】
皮膚の創傷部に、液体を透過する柔軟な多孔質体（スポンジ状の物体）を載せ、多孔質体と周辺の皮膚を被覆材（高分子フィルム等）で覆って閉鎖し、内部を陰圧に保ちながら、創傷部から滲出する液体を吸引・排出する陰圧閉鎖療法が知られている。このような陰圧閉鎖療法に用いられる装置が、陰圧創傷治療装置である。
【０００３】
創傷部を保護しながら陰圧に保つことにより、肉芽形成が促進される。同時に、感染性のある老廃物や滲出液が排出される。その結果、創傷部の周囲の血流が増加して、血行が促進される。これにより創傷部治癒機能が回復し、創傷部の治りが早くなる。
【０００４】
創傷部の吸引のみを行なう陰圧閉鎖療法において、創傷部と吸引装置の高さの差が変化すると、陰圧が変化する。例えば、吸引装置が床上にある場合、創傷部が高くなると、陰圧は大きくなる。逆に創傷部が低くなると、陰圧は小さくなる。
【０００５】
患者の動きに伴う創傷部の上下動は避けられないが、それによる陰圧の変化は望ましくない。そこで創傷部の上下動に関わらず陰圧を一定に保つために、被覆材内部の圧力を測定する必要がある。そのため、創傷部に滲出液排出管とは別の圧力測定管を接続し、圧力計により創傷部の圧力を測定する方法が知られている（例えば特許文献１、２）。
【０００６】
また、滲出液排出用内腔（ルーメン）と圧力測定用内腔（ルーメン）を備えた複数内腔管（マルチルーメンチューブ）を用いて、１本の滲出液排出管で、滲出液排出と圧力測定の両方を行なう方法が知られている（例えば特許文献３）。
【０００７】
しかし、上記の従来技術においては、滲出液や滲出液内の浮遊物が圧力測定管や圧力測定用内腔に詰まり、正確な圧力が測定できない可能性がある。
【０００８】
その対策として、被膜材と滲出液排出管の接続部品（負圧アダプタ）の内面形状を工夫し、圧力測定管の詰まりを防止する方法が知られている（例えば特許文献４）。しかし、このためには非常に複雑な内面形状の接続部品（負圧アダプタ）が必要である。
【０００９】
また、滲出液排出管の圧力と、圧力測定管の圧力を交互に変化させて（フラッシング動作）、圧力測定管の詰まりを防止する方法が知られている（例えば特許文献５）。しかし、このためには複数の開放弁と、その複雑な開閉タイミングを制御する機構が必要である。
【００１０】
創傷部に洗浄液（生理的食塩水等）を注入しながら吸引を行なう、創内持続陰圧洗浄療法が知られている。創内持続陰圧洗浄療法においても、圧力測定管を用いて陰圧を測定する方法が知られている（例えば特許文献６）。
【００１１】
図７は、創内持続陰圧洗浄療法に用いられる、従来の陰圧創傷治療装置１００の模式図である。皮膚１０１に発生した創傷部１０２の表面に多孔質体１０３を載せ、多孔質体１０３と周辺の皮膚１０１を被覆材１０４で覆って閉鎖する。
【００１２】
被覆材１０４に供給孔１０５を設け、供給管接続部品１０６の開口部と供給孔１０５を合わせるように、供給管接続部品１０６を被覆材１０４上に接着する。供給管接続部品１０６には洗浄液供給管１１１が接続される。
【００１３】
被覆材１０４に排出孔１０７を設け、排出管接続部品１０８の開口部と排出孔１０７を合わせるように、排出管接続部品１０８を被覆材１０４上に接着する。排出管接続部品１０８には滲出液排出管１１２と圧力測定管１１７が接続される。
【００１４】
洗浄液容器１０９内の洗浄液１１０（生理的食塩水等）を、洗浄液供給管１１１を通じて、被覆材１０４で閉鎖された内部に供給する。創傷部１０２から生じた感染性のある老廃物や滲出液は、洗浄液１１０と一緒に多孔質体１０３内部を移動し、滲出液排出管１１２に吸い込まれる。老廃物や滲出液は、滲出液排出管１１２を通じて滲出液収納容器１１３に導かれ、滲出液１１４として貯められる。
【００１５】
滲出液収納容器１１３に陰圧調整管１１５で結合された吸引装置１１６の働きにより、被覆材１０４で閉鎖された内部は陰圧に保たれる。陰圧の大きさは、排出管接続部品１０８に接続された圧力測定管１１７を通じて、圧力計１１８で測定される。
【００１６】
圧力計１１８で測定された陰圧値は、吸引装置１１６や、図示しない大気開放弁にフィードバックされ、被覆材１０４で閉鎖された内部の陰圧を一定に保つことに用いられる。
【００１７】
創傷部１０２を保護しつつ陰圧に保つことにより、肉芽形成が促進される。同時に、感染性のある老廃物や滲出液が洗浄液１１０と一緒に排出される。その結果、創傷部１０２の周囲の血流が増加して、血行が促進される。これにより創傷部治癒機能が回復し、創傷部１０２の治りが早くなる。
【００１８】
しかし従来の陰圧創傷治療装置１００においては、滲出液や滲出液内の浮遊物が圧力測定管１１７に詰まり、正確な圧力が測定できない可能性があった。
【先行技術文献】
【特許文献】
【００１９】
【特許文献１】特許第３８５９０８５号公報
【特許文献２】特許第４０６８８０７号公報
【特許文献３】特許第４３６９６４０号公報
【特許文献４】特表２００９−５２５７７６号公報
【特許文献５】特表２００９−５２５０８７号公報
【特許文献６】特表２００８−５１７６９０号公報
【発明の概要】
【発明が解決しようとする課題】
【００２０】
創傷部の吸引のみを行なう陰圧閉鎖創傷療法、および、創傷部に洗浄液を注入しながら吸引を行なう創内持続陰圧洗浄療法のいずれにおいても、閉鎖部の陰圧を一定に保つために、陰圧を正確に測定しなければならない。
【００２１】
しかし、従来の陰圧創傷治療装置においては、滲出液や滲出液内の浮遊物が、圧力測定管や圧力測定用内腔に詰まり、正確な圧力が測定できない可能性があった。
【００２２】
本発明の目的は、滲出液や滲出液内の浮遊物が詰まりにくい圧力測定管を備えた陰圧創傷治療装置を実現することである。
【課題を解決するための手段】
【００２３】
（１）本発明の陰圧創傷治療装置は、創傷部を覆って閉鎖部を形成する被覆材と、前記閉鎖部に接続された洗浄液供給管、圧力測定管および滲出液排出管と、前記洗浄液供給管を通じて前記閉鎖部に供給される洗浄液を備え、前記閉鎖部に前記洗浄液を注入しながら前記圧力測定管を介して測定された圧力に基づいて前記閉鎖部内を一定の陰圧に保ち、前記洗浄液と、前記創傷部から生じた老廃物および滲出液を前記滲出液排出管を通じて排出する陰圧創傷治療装置において、前記洗浄液供給管の前記閉鎖部への洗浄液供給口の近傍から分岐した前記圧力測定管を備え、前記圧力測定管の先端が前記洗浄液供給管内の清浄な洗浄液で満たされた空間に配置されていることを特徴とする。
【００２４】
洗浄液供給管の近傍は、清浄な洗浄液に満たされており浮遊物がほとんど無い。洗浄液は洗浄液供給管から離れる方向に流れるから、浮遊物が圧力測定管に近付く可能性も低い。そのため、圧力測定管が浮遊物により詰まる可能性が低い。
【００２５】
（２）本発明の陰圧創傷治療装置は、創傷部を覆って閉鎖部を形成する被覆材と、前記閉鎖部に接続された洗浄液供給管、圧力測定管および滲出液排出管と、前記洗浄液供給管を通じて前記閉鎖部に供給される洗浄液を備え、前記閉鎖部に前記洗浄液を注入しながら前記圧力測定管を介して測定された圧力に基づいて前記閉鎖部を一定の陰圧に保ち、前記洗浄液と、前記創傷部から生じた老廃物および滲出液を前記滲出液排出管を通じて排出する陰圧創傷治療装置において、前記被覆材に設けられた供給孔と、前記供給孔に接続された供給管接続部品を備え、前記供給管接続部品には前記洗浄液供給管および前記圧力測定管が接続されており、前記圧力測定管の先端が前記供給管接続部品内の前記洗浄液供給管から供給された清浄な洗浄液で満たされた空間に配置されていることを特徴とする。
【００２６】
（３）本発明の陰圧創傷治療装置においては、被覆材で創傷部を覆って閉鎖部を形成する。洗浄液供給管、圧力測定管および滲出液排出管を閉鎖部に接続する。洗浄液は洗浄液供給管を通じて閉鎖部に供給する。閉鎖部に前記洗浄液を注入しながら前記閉鎖部を陰圧に保ち、洗浄液と、創傷部から生じた老廃物および滲出液は滲出液排出管を通じて排出する。圧力測定管を洗浄液供給管の近傍に設ける。洗浄液供給管は、洗浄液供給用内腔と圧力測定用内腔を備えた複数内腔管である。圧力測定管は圧力測定用内腔に接続される。
【００２７】
（４）本発明の陰圧創傷治療装置は、創傷部を覆って閉鎖部を形成する被覆材と、前記閉鎖部に接続された洗浄液供給管、圧力測定管及び滲出液排出管と、前記洗浄液供給管を通じて前記閉鎖部に供給される洗浄液を備え、前記閉鎖部に前記洗浄液を注入しながら前記圧力測定管を介して測定された圧力に基づいて前記閉鎖部を一定の陰圧に保ち、前記洗浄液と、前記創傷部から生じた老廃物及び滲出液を前記滲出液排出管を通じて排出する陰圧創傷治療装置において、前記被覆材に設けられた供給孔と、前記供給孔に接続された供給管接続部品を備え、前記供給管接続部品には前記洗浄液供給管が接続されており、前記洗浄液供給管から前記圧力測定管が分岐していることを特徴とする。
【００２８】
（５）本発明の陰圧創傷治療装置においては、被覆材に供給孔を設け、供給管接続部品を供給孔に接続する。洗浄液供給管は供給管接続部品に接続される。圧力測定管は洗浄液供給管から分岐する。あるいは、圧力測定管は圧力測定用内腔に接続される。
【００２９】
（６）本発明の陰圧創傷治療装置においては、供給管接続部品は、下面に突出する延長管を備える。延長管は、所望の長さに調整できる。
【発明の効果】
【００３０】
本発明の陰圧創傷治療装置に備えた圧力測定管は、滲出液や滲出液内の浮遊物が詰まりにくい。本発明の陰圧創傷治療装置は、圧力測定管の詰まりを防ぐための複数の開放弁や、その複雑な制御機構を必要としない。
【図面の簡単な説明】
【００３１】
【図１】本発明の陰圧創傷治療装置の第１例の模式図
【図２】本発明の陰圧創傷治療装置の第２例の模式図
【図３】本発明の陰圧創傷治療装置の第３例の模式図
【図４】本発明の陰圧創傷治療装置の第４例の模式図
【図５】本発明の陰圧創傷治療装置の第５例の模式図
【図６】本発明の陰圧創傷治療装置の第６例の模式図
【図７】従来の陰圧創傷治療装置の模式図
【発明を実施するための形態】
【００３２】
以下、図を用いて本発明の陰圧創傷治療装置を説明する。各図に共通の要素については同一の符号を付す。
【００３３】
図１は、創内持続陰圧洗浄療法に用いられる、本発明の第１例の陰圧創傷治療装置１０の模式図である。皮膚１１に発生した創傷部１２の表面に多孔質体１３を載せ、多孔質体１３と周辺の皮膚１１を被覆材１４で覆って閉鎖する。被覆材１４で覆って閉鎖された部分を閉鎖部と言う。
【００３４】
被覆材１４に供給孔１５を設け、供給管接続部品１６の開口部１６ｃと供給孔１５を合わせて、供給管接続部品１６を被覆材１４上に接着する。供給管接続部品１６には洗浄液供給管２１と圧力測定管２７が接続される。
【００３５】
図１の左下部分に、供給管接続部品１６と、洗浄液供給管２１と、圧力測定管２７の部分拡大断面図と部分拡大平面図を示す。供給管接続部品１６は柔軟な合成樹脂製で、周囲に広い鍔１６ａをもち、内部に空間部１６ｂ、下面に開口部１６ｃをもつ。鍔１６ａの下面１６ｄには、被覆材１４に接着するための、図示しない粘着層または接着層が形成される。洗浄液供給管２１と圧力測定管２７は、供給管接続部品１６の側面を貫通して接続される。洗浄液供給管２１と圧力測定管２７の先端は、供給管接続部品１６の空間部１６ｂに開口する。
【００３６】
被覆材１４に排出孔１７を設け、排出管接続部品１８の開口部１８ａと排出孔１７を合わせて、排出管接続部品１８を被覆材１４上に接着する。排出管接続部品１８には滲出液排出管２２が接続される。排出管接続部品１８の構造は供給管接続部品１６とほぼ同じである。
【００３７】
洗浄液容器１９内の洗浄液２０（生理的食塩水等）を、洗浄液供給管２１を通じて、被覆材１４で閉鎖された内部に供給する。洗浄液２０は、重力による自然供給も可能であるが、図示しない定量ポンプ等により一定速度で供給されることが望ましい。創傷部１２から生じた感染性のある老廃物や滲出液は、洗浄液２０と一緒に多孔質体１３内部を移動し、滲出液排出管２２に吸い込まれる。老廃物や滲出液は、滲出液排出管２２を通じて滲出液収納容器２３に導かれ、滲出液２４として貯められる。
【００３８】
滲出液収納容器２３に陰圧調整管２５で結合された吸引装置２６の働きにより、被覆材１４で閉鎖された内部は陰圧に保たれる。陰圧の大きさは、供給管接続部品１６に接続された圧力測定管２７を通じて圧力計２８で測定される。
【００３９】
圧力計２８で測定された陰圧値は、吸引装置２６や、図示しない大気開放弁にフィードバックされ、被覆材１４で閉鎖された内部の陰圧を一定に保つ制御に用いられる。
【００４０】
洗浄液２０は、創傷部１２全体に万遍なく流れ、停溜する部分が無いようにしなければならない。そのためには、創傷部１２内で、可能な限り洗浄液２０の流路が長くなることが望ましい。そのため、供給孔１５と排出孔１７はできるだけ離して、多孔質体１３の両端近くに設けられる。
【００４１】
図７の従来の陰圧創傷治療装置１００のように、排出管接続部品１０８に圧力測定管１１７が接続されていると、滲出液排出管１１２により引き寄せられた浮遊物が、圧力測定管１１７に詰まる可能性が高い。
【００４２】
一方、図１の本発明の陰圧創傷治療装置１０においては、供給管接続部品１６に圧力測定管２７が接続されている。供給管接続部品１６の空間部１６ｂは、清浄な洗浄液２０に満たされており浮遊物がほとんど無い。洗浄液２０は供給管接続部品１６から離れる方向に流れるから、浮遊物が圧力測定管２７に近付く可能性も低い。そのため、圧力測定管２７が浮遊物により詰まる可能性が低い。
【００４３】
図２は、創内持続陰圧洗浄療法に用いられる、本発明の第２例の陰圧創傷治療装置３０の模式図である。図２の左下部分に、供給管接続部品１６と、洗浄液供給管２１と、圧力測定管２７の部分拡大断面図と部分拡大平面図を示す。
【００４４】
供給管接続部品１６の下面に、延長管１６ｅが突き出している。延長管１６ｅは、供給管接続部品１６の空間部１６ｂに接続する。創傷部１２の近くに洗浄液２０を供給したい場合、延長管１６ｅを多孔質体１３に差し込むと、創傷部１２の近くに洗浄液２０を供給することができる。延長管１６ｅは、創傷部１２の深さに応じて切断し、長さを調整して用いることができる。
【００４５】
陰圧創傷治療装置３０においては、延長管１６ｅの先端まで、清浄な洗浄液２０に満たされている。従って図１の陰圧創傷治療装置１０に比べて、浮遊物から圧力測定管２７までの距離が長いため、浮遊物が圧力測定管２７に近付く可能性が低い。そのため、陰圧創傷治療装置１０に比べても、圧力測定管２７が浮遊物により詰まる可能性が低い。
【００４６】
図３は、創内持続陰圧洗浄療法に用いられる、本発明の第３例の陰圧創傷治療装置４０の模式図である。図３の左下部分に、供給管接続部品１６と、洗浄液供給管２１と、圧力測定管２７の部分拡大断面図と部分拡大平面図を示す。
【００４７】
部分拡大断面図に示すように、圧力測定管２７は、洗浄液供給管２１から分岐する。陰圧創傷治療装置４０では、供給管接続部品１６に圧力測定管２７を接続しないため、供給管接続部品１６を小型化することが出来る。
【００４８】
陰圧創傷治療装置４０においては、供給管接続部品１６の開口部１６ｃまで清浄な洗浄液２０に満たされている。圧力測定管２７は洗浄液供給管２１との分岐点から始まるため、図１の陰圧創傷治療装置１０に比べて、浮遊物から圧力測定管２７までの距離が長く、浮遊物が圧力測定管２７に近付く可能性が低い。そのため、陰圧創傷治療装置１０に比べても、圧力測定管２７が浮遊物により詰まる可能性が低い。
【００４９】
図４は、創内持続陰圧洗浄療法に用いられる、本発明の第４例の陰圧創傷治療装置５０の模式図である。図４の左下部分に、供給管接続部品１６と、洗浄液供給管２１と、圧力測定管２７の部分拡大断面図と部分拡大平面図を示す。
【００５０】
供給管接続部品１６の下面に、延長管１６ｅが突き出している。延長管１６ｅは、供給管接続部品１６の空間部１６ｂに接続する。
【００５１】
部分拡大断面図に示すように、圧力測定管２７は、洗浄液供給管２１から分岐する。陰圧創傷治療装置５０では、供給管接続部品１６に圧力測定管２７を接続しないため、供給管接続部品１６を小型化することが出来る。
【００５２】
陰圧創傷治療装置５０においては、延長管１６ｅの先端まで、清浄な洗浄液２０に満たされている。圧力測定管２７は洗浄液供給管２１との分岐点から始まる。従って図２の陰圧創傷治療装置３０、および図３の陰圧創傷治療装置４０に比べて、浮遊物から圧力測定管２７までの距離が長く、浮遊物が圧力測定管２７に近付く可能性が低い。そのため、陰圧創傷治療装置３０、陰圧創傷治療装置４０に比べても、圧力測定管２７が浮遊物により詰まる可能性が低い。
【００５３】
図５は、創内持続陰圧洗浄療法に用いられる、本発明の第５例の陰圧創傷治療装置６０の模式図である。図５の左下部分に、供給管接続部品１６と、洗浄液供給管３４の部分拡大断面図と部分拡大平面図を示す。
【００５４】
図５の右上部分に、洗浄液供給管３４と圧力測定管２７の接続部の部分拡大断面図を示す。洗浄液供給管３４は、洗浄液供給用内腔３４ａと圧力測定用内腔３４ｂを備えた複数内腔管である。圧力測定用内腔の断面形状は、円形のもの（圧力測定用内腔３４ｂ）や、同心円状のもの（圧力測定用内腔３４ｃ）等、多種類ある。
【００５５】
部分拡大断面図に示すように、圧力測定管２７は、洗浄液供給管３４内の圧力測定用内腔３４ｂに接続される。圧力測定管２７と洗浄液供給管３４の接続位置には制限が無い。図５のように、圧力測定管２７は、供給管接続部品１６から遠く離れた位置に接続しても良い。
【００５６】
陰圧創傷治療装置６０では、供給管接続部品１６に圧力測定管２７を接続しないため、供給管接続部品１６を小型化することが出来る。
【００５７】
陰圧創傷治療装置６０においては、供給管接続部品１６の開口部１６ｃまで清浄な洗浄液２０に満たされている。そのため、浮遊物が圧力測定用内腔３４ｂに近付く可能性が低い。そのため、圧力測定用内腔３４ｂが浮遊物により詰まる可能性が低い。
【００５８】
図６は、創内持続陰圧洗浄療法に用いられる、本発明の第６例の陰圧創傷治療装置７０の模式図である。図６の左下部分に、供給管接続部品１６と、洗浄液供給管３４の部分拡大断面図と部分拡大平面図を示す。
【００５９】
供給管接続部品１６の下面に、延長管１６ｅが突き出している。延長管１６ｅは、供給管接続部品１６の空間部１６ｂに接続する。
【００６０】
図６の右上部分に、洗浄液供給管３４と圧力測定管２７の接続部の部分拡大断面図を示す。圧力測定管２７は、洗浄液供給管３４内の圧力測定用内腔３４ｂに接続される。
【００６１】
陰圧創傷治療装置７０では、供給管接続部品１６に圧力測定管２７を接続しないため、供給管接続部品１６を小型化することが出来る。
【００６２】
陰圧創傷治療装置７０においては、延長管１６ｅの先端まで清浄な洗浄液２０に満たされている。従って図５の陰圧創傷治療装置６０に比べて、浮遊物から圧力測定用内腔３４ｂまでの距離が長く、浮遊物が圧力測定用内腔３４ｂに近付く可能性が低い。そのため、陰圧創傷治療装置６０に比べても、圧力測定用内腔３４ｂが浮遊物により詰まる可能性が低い。
【産業上の利用可能性】
【００６３】
本発明の陰圧創傷治療装置は、創内持続陰圧洗浄療法に好適に用いられる。
【符号の説明】
【００６４】
１０ 陰圧創傷治療装置
１１ 皮膚
１２ 創傷部
１３ 多孔質体
１４ 被覆材
１５ 供給孔
１６ 供給管接続部品
１６ａ 鍔
１６ｂ 空間部
１６ｃ 開口部
１６ｄ 下面
１６ｅ 延長管
１７ 排出孔
１８ 排出管接続部品
１８ａ 開口部
１９ 洗浄液容器
２０ 洗浄液
２１ 洗浄液供給管
２２ 滲出液排出管
２３ 滲出液収納容器
２４ 滲出液
２５ 陰圧調整管
２６ 吸引装置
２７ 圧力測定管
２８ 圧力計
３０ 陰圧創傷治療装置
３４ 洗浄液供給管
３４ａ 洗浄液供給用内腔
３４ｂ 圧力測定用内腔
３４ｃ 圧力測定用内腔
４０ 陰圧創傷治療装置
５０ 陰圧創傷治療装置
６０ 陰圧創傷治療装置
７０ 陰圧創傷治療装置
１００ 陰圧創傷治療装置
１０１ 皮膚
１０２ 創傷部
１０３ 多孔質体
１０４ 被覆材
１０５ 供給孔
１０６ 供給管接続部品
１０７ 排出孔
１０８ 排出管接続部品
１０９ 洗浄液容器
１１０ 洗浄液
１１１ 洗浄液供給管
１１２ 滲出液排出管
１１３ 滲出液収納容器
１１４ 滲出液
１１５ 陰圧調整管
１１６ 吸引装置
１１７ 圧力測定管
１１８ 圧力計
【図１】
0005715383.tif 000002
【図２】
0005715383.tif 000003
【図３】
0005715383.tif 000004
【図４】
0005715383.tif 000005
【図５】
0005715383.tif 000006
【図６】
0005715383.tif 000007
【図７】
0005715383.tif 000008